(57)【要約】      （修正有）【課題】地震等の災害発生に備え、災害発生時には敏速に履いて避難場所に安全に移動することができる、着脱容易な安全靴を提供することであり、第２課題は、通常時は、高齢者等が屋内外で簡便に履用できる、着脱容易な安全靴を提供する。【解決手段】靴本体１の履き口２周縁端部から甲被前部４にかけ、くさび状の切欠溝Ｖを形成し、切欠溝Ｖが形成された甲被中央部３には伸縮可能な伸縮シート８ａ〜８ｄが縫着され、該伸縮シートの甲被左側部３ａ、甲被右側部３ｂには雄部材面状ファスナー９、１０が縫着され、固定片６が靴本体１の甲被前部４から甲被中央部３にかけて伸縮シートを被覆するように一体的に延設され、固定片６の下面には、一部分を除き、雌部材面状ファスナー１１が縫着されている。【選択図】図１
0003143446.tif 000002
【実用新案登録請求の範囲】
【請求項１】
靴本体の履き口周縁端部から甲被前部にかけてくさび状の切欠溝を形成し、
該切欠溝が形成された甲被中央部周縁には上下及び左右に伸縮可能な伸縮シートが縫着され、
前記伸縮シートの甲被左側部及び甲被右側部には面状ファスナーが取り付けられ、
かつ、前記伸縮シートの上面を被覆すると共に足部を固定する固定片を備えた、
ことを特徴とする着脱容易な安全靴。
【請求項２】
前記靴本体は、防水加工又は撥水加工された軟質合成皮革を素材としている、
ことを特徴とする請求項１に記載の着脱容易な安全靴。
【請求項３】
前記伸縮シートは、柔軟性ある素材からなり、展開図形がほぼ扇形をなし、該伸縮シートの上辺から下辺にかけて複数の折れ線が形成されている、
ことを特徴とする請求項１〜請求項２の何れかに記載の着脱容易な安全靴。
【請求項４】
前記伸縮シートの上面は、防水加工又は撥水加工された軟質合成樹脂材である、
ことを特徴とする請求項１〜請求項３の何れかに記載の着脱容易な安全靴。
【請求項５】
前記伸縮シートの甲被左側部及び甲被右側部に取り付けられた面状ファスナーは、雄部材である、
ことを特徴とする請求項１〜請求項４の何れかに記載の着脱容易な安全靴。
【請求項６】
前記固定片は、靴本体の甲被前部から甲被中央部周縁にかけて伸縮シートを全面的に被覆するように一体的、かつ前後に開閉可能に延設されている、
ことを特徴とする請求項１〜請求項５の何れかに記載の着脱容易な安全靴。
【請求項７】
前記固定片の下面には、面状ファスナーの雌部材が取り付けられている、
ことを特徴とする請求項１〜請求項６の何れかに記載の着脱容易な安全靴。
【請求項８】
前記靴本体の踵内側部には、当て布片が縫着されている、
ことを特徴とする請求項１〜請求項７の何れかに記載の着脱容易な安全靴。
【請求項９】
前記靴本体の踵外側部、摘み片及び前記靴本体の下部外周縁には、蓄光材又は蛍光材入り塗料が塗布された表示部が形成されている、
ことを特徴とする請求項１〜請求項８の何れかに記載の着脱容易な安全靴。
【請求項１０】
前記靴本体の内靴底部には、防水、消臭及び抗菌加工すると共に、上面が滑面加工されたインソールが貼着されている、
ことを特徴とする請求項１〜請求項９の何れかに記載の着脱容易な安全靴。
【請求項１１】
前記靴本体の靴底部は、硬質合成樹脂材よりなり、該靴底部の爪先から土踏まず部にかけて彎曲面を形成すると共に、踵部は厚底とし、かつ防滑材が接着されている、
ことを特徴とする請求項１〜請求項１０の何れかに記載の着脱容易な安全靴。
【考案の詳細な説明】
【技術分野】
【０００１】
本考案は、着脱容易な安全靴に関し、より詳しくは、特に地震・津波又は台風等の災害発生が予測される時に備え、又は災害が発生した時には敏速に履くことができ、避難場所に安全に移動し、また通常時においては、高齢者、身障者及び要介護者等が、屋内外で簡便に履用することができる、着脱容易な安全靴に関する。
【背景技術】
【０００２】
１９９５年１月１７日に発生した、阪神・淡路大地震は、不幸にも「天災は忘れた頃にやってくる」という古い諺が実証された。その後、新潟地震をはじめ、我が国ではもちろん、世界の各地で大地震やこれに伴う大津波等の被害が報じられている。近年、東京等大都市の直下を震源とする大地震が発生する可能性があるといわれており、このような天災地変が発生した場合は、危険地域から可能な限り早くかつ安全に避難する必要がある。このため、カンパン、インスタント食品等の非常食料品や飲料水、懐中電灯、外傷薬などの医薬品、ヘルメットあるいは防災頭巾といった防災用品を常備することに対する認識が高まりつつある。しかしながら、地震等の災害発生の際に着用する履物に関しては盲点となっており、あまり考慮されていなかったのが実情である。
【０００３】
防災センター等のシミュレーションによれば、例えば東京都心部に、直下型地震等によって建物の倒壊などを含む大きな被害が発生した場合、拡大する火災等から確実に逃れるには、都心から２０〜３０ｋｍ圏の地域へ５時間以内に移動しなければならないことが判明している。ところが、密集した建物の内外や道路等には、多量の窓ガラスや照明器具等の破片、その他の破損物が散乱し、滑りやすくなるため、通常の履物、例えばサラリーマンが着用している革靴やサンダル、あるいは女性のハイヒール等の着用では、徒歩による
避難地域へ安全かつ迅速に逃れることが極めて困難になると予想されている。
【０００４】
地震等の災害が発生した時に備えた、防災又は安全を目的とする履物として若干の提案がなされている。例えば、特開平９−１０８００２（特許文献１）の「緊急防災サイズレス靴」は、収納時に嵩張らないと共に、足の大きさの相違に好適に対応させることを課題とし、その課題を解決する手段は、折り曲げ可能な板状に形成された靴底部を備え、靴底部の前部上側には、カップ状に形成された爪先覆が後向きに履き口して固設され、靴底部の後部両側には、引掛用紐の一端が固着され、爪先覆の上面には、引掛用紐の先端側を固定する面ファスナー等の紐固定部が設けられ、靴底部の両側には、折り畳み可能な布状に形成された甲被部の縁が固着され、甲被部の他縁には締結用紐部等の締結部が設けられていることを特徴としている。
【０００５】
また、登実３０２６０６３（特許文献２）の「災害時用安全靴」は、非常持出袋に入れておくのに適するように、嵩張らず軽量であり、ズボンのすそを折り込んで入れることができ、暗闇の中ですばやく履け、釘を踏み抜くおそれがなく、火の中をくぐりぬけうるようにすることを課題とし、その解決手段は、災害時用安全靴は、筒状口部を有する甲被が、表面にアルミニウムの真空蒸着されたビニロン布により形成せられ、筒状口部にこれの上部絞り手段としての紐が設けられるとともに、下部絞り手段として面ファスナーにより固定されるバンドが設けられている。屈曲自在な厚さ０．６ｍｍの鋼板およびその上面に設けられたフェルト層よりなる中敷を備えている。鋼板の周縁部に前後左右に４つの下向きの切り起こし爪が設けられて本底に突き立てられることにより、中敷が本底に固定されている。靴全体は半長靴状でかつ左右対称に形成せられ、しかも前側、後側および左右両側に蛍光部がそれぞれ設けられていることを特徴としている。
【０００６】
さらに、登実３０２６３４５（特許文献３）の「安全スリッパ」は、日常は普通のスリッパとして使用出来、地震等の災害時にガラス片、陶器片等が床に散乱しても、安全に且速やかに避難出来る履物を提供することを課題とし、これを解決するための手段は、スリッパの靴底部にガラス片や陶器片等を踏み付けてもこれらが貫通しない充分な強度を有する金属板、セラミック板又は合成樹等、或いはアラミド繊維（商品名ケブラー）、炭素繊維等の布地を、爪先には柔軟性を有し躓いてもガラス片や陶器片等を貫通させない充分な強度を有する金属板又は合成樹脂板等、或いはアラミド繊維及び炭素繊維等の布地を足を保護する層としてスリッパに組み込むことを特徴としている。
【０００７】
特許文献１の「緊急防災サイズレス靴」における足と靴を固定する手段は、締結用紐によって行うように構成されているが、例えば地震等にあっては、必然的に身体は前後又は左右に揺動するので、締結用紐を結ぶことは極めて困難であるという欠点がある。また特許文献２の「災害時用安全靴」は、まず持出袋の中から取り出し、折り畳まれた筒状口部を起立、履き口してから足を靴内に挿入し、ズボンの裾部を筒状口部に折り込んで入れた後、紐と面ファスナーによって足と靴を固定するので、退避するまでかなりの時間を要し、地震・津波等１秒をあらそう緊急時における履用する靴としては、不向きであると言わざるをえない。さらに、特許文献３の「安全スリッパ」は、構造上、踵部がないので、急いでの歩行や走行、又は障害物を跨いだりするとき、スリッパは足から簡単に脱げやすいので、日常のスリッパとしての使用には問題ないが、緊急避難時の履物としては、安全性に問題がある。
【０００８】
【特許文献１】特開平９−１０８００２号公報
【特許文献２】実用新案登録第３０２６０６３号公報
【特許文献３】実用新案登録第３０２６３４５号公報
【考案の開示】
【考案が解決しようとする課題】
【０００９】
本考案が解決しようとする第１の課題は、地震・津波又は台風等の災害発生に備えておき、災害が発生した時には敏速に履くことができ、避難場所に安全に移動することができる、着脱容易な安全靴を提供することであり、第２の課題は、通常時においては、高齢者、身体障害者又は要介護者等が、屋内外で簡便に履用が可能な着脱容易な安全靴を提供することにある。
【課題を解決するための手段】
【００１０】
本考案者等は、上記従来技術が有する各種問題点に鑑み、鋭意検討を重ね、課題を解決するための本考案を完成させたものである。
本願の明細書等に記載された用語の解釈上の疑義を解消すべく、以下用語の説明を行う。
＊＊＊＊＊＊＊＊＊＊＊＊＊＊＊＊＊＊＊＊＊＊＊＊＊＊＊＊＊＊＊＊＊＊＊＊＊＊＊
<用語の説明>
○ 切欠溝とは、靴本体の履き口周縁端部から甲被前部にかけてカッター又は鋏等により、平面視くさび状又はＶ字状に形成された切り欠き部分をいう。
○伸縮シートとは、柔軟性ある合成樹脂材を素材とし、上面を防水又は撥水加工した厚さが０．１ｍｍ〜０．３ｍｍで、展開図がほぼ扇形をなし、該伸縮シートの上辺から下辺にかけて複数の折れ線が形成されてなり、靴本体の履き口周縁端部から甲被前部にかけて形成された切欠溝の上面を被覆するように取り付けられる。
○固定片とは、靴本体の甲被前部から甲被中央部周縁にかけて伸縮シートを全面的に被覆するように一体的、かつ前後に開閉可能に延設され、舌片状をなしている。該固定片の下面には、一部分を除き、面状ファスナーの雌部材が取り付けられている。
○滑面加工とは、靴内のインソール又は中底の表皮面を滑らかにする加工をいう。
○蓄光材とは、俗に夜光とも呼ばれ、自然光である太陽光や人口光の蛍光灯等の光エネ
ルギーを短時間で吸収して、暗闇で長時間に亘って光を放出するもので、素材はアルミナ系酸化物の無機顔料であり、１０００℃以上の温度で溶融されてつくられているため、耐候性や耐熱性に対して極めて安定しており、半永久的に発光を繰り返し、有害物質は全く含まれていないので安全性にも問題がない。
＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願、実用新案登録請求の範囲の各請求項に記載の考案であり、その具体的な解決手段は、以下の通りである。
【００１１】
○第１の考案（請求項１に記載の考案）
上記の課題を解決するための第１の考案（請求項１に記載の考案）は、
「靴本体の履き口周縁端部から甲被前部にかけてくさび状の切欠溝を形成し、
該切欠溝が形成された甲被中央部周縁には上下及び左右に伸縮可能な伸縮シートが縫着され、
前記伸縮シートの甲被左側部及び甲被右側部には面状ファスナーが取り付けられ、
かつ、前記伸縮シートの上面を被覆すると共に足部を固定する固定片を備えた」
ことを特徴としている。
【００１２】
○第２の考案（請求項２に記載の考案）
上記の課題を解決するための第２の考案（請求項２に記載の考案）は、
「前記靴本体は、防水加工又は撥水加工された軟質合成皮革を素材としている」
ことを特徴とする請求項１に記載の着脱容易な安全靴である。
【００１３】
○第３の考案（請求項３に記載の考案）
上記の課題を解決するための第３の考案（請求項３に記載の考案）は、
「前記伸縮シートは、柔軟性ある素材からなり、展開図形がほぼ扇形をなし、該伸縮シートの上辺から下辺にかけて複数の折れ線が形成されている」
ことを特徴とする請求項１〜請求項２の何れかに記載の着脱容易な安全靴である。
【００１４】
○第４の考案（請求項４に記載の考案）
上記の課題を解決するための第４の考案（請求項４に記載の考案）は、
「前記伸縮シートの上面は、防水加工又は撥水加工された軟質合成樹脂材である」
ことを特徴とする請求項１〜請求項３の何れかに記載の着脱容易な安全靴である。
【００１５】
○第５の考案（請求項５に記載の考案）
上記の課題を解決するための第５の考案（請求項５に記載の考案）は、
「前記伸縮シートの甲被左側部及び甲被右側部に取り付けられた面状ファスナーは、雄部材である」
ことを特徴とする請求項１〜請求項４の何れかに記載の着脱容易な安全靴である。
【００１６】
○第６の考案（請求項６に記載の考案）
上記の課題を解決するための第６の考案（請求項６に記載の考案）は、
「前記固定片は、靴本体の甲被前部から甲被中央部周縁にかけて伸縮シートを全面的に被覆するように一体的、かつ前後に開閉可能に延設されている」
ことを特徴とする請求項１〜請求項５の何れかに記載の着脱容易な安全靴である。
【００１７】
○第７の考案（請求項７に記載の考案）
上記の課題を解決するための第７の考案（請求項７に記載の考案）は、
「前記固定片の下面には、面状ファスナーの雌部材が取り付けられている」
ことを特徴とする請求項１〜請求項６の何れかに記載の着脱容易な安全靴である。
【００１８】
○第８の考案（請求項８に記載の考案）
上記の課題を解決するための第８の考案（請求項８に記載の考案）は、
「前記靴本体の踵内側部には、当て布片が縫着されている」
ことを特徴とする請求項１〜請求項７の何れかに記載の着脱容易な安全靴である。
【００１９】
○第９の考案（請求項９に記載の考案）
上記の課題を解決するための第９の考案（請求項９に記載の考案）は、
「前記靴本体の踵外側部、摘み片及び前記靴本体の下部外周縁には、蓄光材又は蛍光材入り塗料が塗布された表示部が形成されている」
ことを特徴とする請求項１〜請求項８の何れかに記載の着脱容易な安全靴である。
【００２０】
○第１０の考案（請求項１０に記載の考案）
上記の課題を解決するための第１０の考案（請求項１０に記載の考案）は、
「前記靴本体の内靴底部には、防水、消臭及び抗菌加工すると共に、上面が滑面加工されたインソールが貼着されている」
ことを特徴とする請求項１〜請求項９の何れかに記載の着脱容易な安全靴
である。
【００２１】
○第１１の考案（請求項１１に記載の考案）
上記の課題を解決するための第１１の考案（請求項１１に記載の考案）は、
「前記靴本体の靴底部は、硬質合成樹脂材よりなり、該靴底部の爪先から土踏まず部にかけて彎曲面を形成すると共に、踵部は厚底とし、かつ防滑材が接着されている」
ことを特徴とする請求項１〜請求項１０の何れかに記載の着脱容易な安全靴である。
【考案の効果】
【００２２】
本考案に係る着脱容易な安全靴は、上記のような特徴的構成要件から構成され、特徴的構成用件に応じた、以下のような本願考案特有の効果を奏する。また、上記のような特徴的構成要件から構成された着脱容易な安全靴によれば、本願考案の課題を十分解消することができる。
○第１の考案の効果
第１の考案によれば、
「靴本体の履き口周縁端部から甲被前部にかけてくさび状の切欠溝を形成し、
該切欠溝が形成された甲被中央部周縁には上下及び左右に伸縮可能な伸縮シートが縫着され、
前記伸縮シートの甲被左側部及び甲被右側部には面状ファスナーが取り付けられ、
かつ、前記伸縮シートの上面を被覆すると共に足部を固定する固定片を備えた」
という当業界では想到することが困難な特徴ある構成としているから、
地震・津波又は台風等の災害発生に備えておき、災害が発生した時には敏速に履くことができ、避難場所に安全に移動することができる、着脱容易な安全靴を提供するという第１の課題と、通常時においては、高齢者、身体障害者又は要介護者等が、屋内外で簡便に履用が可能な着脱容易な安全靴の提供という、本考案の第２の課題を解決することができた。
【００２３】
○第２及び第３考案の効果
第２の考案によれば、
「前記靴本体は、防水加工又は撥水加工された軟質合成皮革を素材としている」
という考案であり、
第３の考案によれば、
「前記伸縮シートは、柔軟性ある素材からなり、展開図形がほぼ扇形をなし、該伸縮シートの上辺から下辺にかけて複数の折れ線が形成されている」
という何れも当業界では想到することが困難な特徴ある構成としているから、
履き易く、靴本体は防水加工又は撥水加工されているので、雨天時でも重くなることがない。また伸縮シートの上辺から下辺にかけて複数の折れ線が形成されているので着用者の足が靴内に挿入されたら、折れ線により伸縮シートは、上下及び左右に拡張され、着用者の足全体は靴内に包まれるようにフィットし、歩行又は走行が快適となる効果を奏する。
【００２４】
○第４の考案の効果
第４の考案によれば、
「前記伸縮シートの上面は、防水加工又は撥水加工された軟質合成樹脂材である」
という当業界では想到することが困難な特徴ある構成としているから、
靴の中に水が浸入するのを防ぎ、快適な歩行又は走行が可能である。
【００２５】
○第５、第６及び第７の考案の効果
第５の考案によれば、
「前記伸縮シートの甲被左側部及び甲被右側部に取り付けられた面状ファスナーは、雄部材である」
という考案であり、
第６の考案によれば、
「前記固定片は、靴本体の甲被前部から甲被中央部周縁にかけて伸縮シートを全面的に被覆するように一体的、かつ前後に開閉可能に延設されている」
という考案であり、
第７考案によれば、
「前記固定片の下面には、面状ファスナーの雌部材が取り付けられている」
という何れも当業界では想到することが困難な特徴ある構成としているから、
足と靴本体の固定と開放は、面状ファスナーの雄部材と固定片の下面に取り付けられた面状ファスナーの雌部材によって行われるので極めて簡易であると共に、面状ファスナーの雌部材が足の甲被部にクッション性とフィット感を付与するので、長時間の歩行にも疲労感と苦痛を緩和させることができる。
【００２６】
○第８の考案の効果
第８の考案によれば、
「前記靴本体の踵内側部には、当て布片が縫着されている」
という当業界では想到することが困難な特徴ある構成としているから、
当て布片は、靴本体の踵部を補強すると共に、靴の着用者が、足を靴本体の履き口に挿入するのに際しては、足の爪先又は土踏まず部で靴の踵部を踏みつぶすようにして靴内に挿入して敏速に履くことができ、靴の踵部は当て布片の弾性力によって起立するという効果を奏する。
【００２７】
○第９の考案の効果
第９の考案によれば、
「前記靴本体の踵外側部、摘み片及び前記靴本体の下部外周縁には、蓄光材又は蛍光材入り塗料が塗布された表示部が形成されている」
という当業界では想到することが困難な特徴ある構成としているから、
地震等が、夜間に発生したとき、蓄光材又は蛍光材入り塗料が塗布された表示部が、室内の暗闇の中でもはっきりと確認でき、敏速に靴を履いて屋外に退避することができる。また夜間における路上等の歩行や走行に際しては、後方又は側面からの車や自転車等への歩行者の存在を知らせて、交通事故を未然に防止することができる。
【００２８】
○第１０の考案の効果
第１０の考案によれば
「前記靴本体の内靴底部には、防水、消臭及び抗菌加工すると共に、上面が滑面加工されたインソールが貼着されている」
という当業界では想到することが困難な特徴ある構成としているから、
長期間、快適に使用することができると共に、インソールの上面が滑りやすいので、敏速に靴を履くことができる。
【００２９】
○第１１の考案の効果
第１１の考案によれば
「前記靴本体の靴底部は、硬質合成樹脂材よりなり、該靴底部の爪先から土踏まず部にかけて彎曲面を形成すると共に、踵部は厚底とし、かつ防滑材が接着されている」
という当業界では想到することが困難な特徴ある構成としているから、
地震によって破砕されたガラス片や釘とによる外傷を未然に防ぐことができ、また爪先は地面より浮いた状態となっているので、歩行中のつまずきを防ぐと共に、靴底が彎曲面を形成しているので、足の疲労を少なくすることができる。さらに踵部の防滑材により路面又は床面で滑ったり転倒することなどを防ぐことができる。
【考案を実施するための最良の形態】
【００３０】
以下、本考案に係る、着脱容易な安全靴に関する最良の実施形態について、図面を参照しながら説明する。図１は、本考案に係る、着脱容易な安全靴の構成部材を分離した状態の平面図、図２は、同各構成部材を縫着又は取り付けた履用前の斜視図、図３は、固定片を伸縮シート上に取り付けた状態の斜視図、図４は、図2における４−４線拡大断面図、図５は、伸縮シートの拡大展開図、図６は、踵部の背面図、図７は、図３における７−７線拡大断面図である。
【００３１】
本考案に係る着脱容易な安全靴（以下、靴Ｓという）は、図１〜図７に示すように、靴本体１を構成する履き口２、甲被中央部３、甲被前部４、爪先５、固定片６及び踵部７と、伸縮シート８、雄部材の面状ファスナー９、１０、雌部材の面状ファスナー１１、インソール１２、靴底部１３、防滑材１４、当て布片１５及び摘み片１６の各部材からなっている。
【００３２】
靴本体１は、防水加工又は撥水加工された軟質合成皮革、例えばモダンカーフ（商品名）を素材としている。図１に示すように、靴本体１の履き口２の周縁端部２ａから甲被前部４にかけてくさび状（Ｖ字状）の切欠溝Ｖが形成されている。該切欠溝Ｖは、靴滑り等を使用することなく、足の甲部が敏速かつスムーズに靴本体１内に収まることを目的とし、カッター又は鋏（図示しない）等によって形成されている。切欠溝Ｖが形成された甲被中央部３の周縁には上下及び左右に伸縮可能な伸縮シート８が縫着されている。伸縮シート８は、柔軟性ある合成樹脂材を素材とし、上面８ａを防水又は撥水加工した厚さが０．１ｍｍ〜０．３ｍｍで、展開図形がほぼ扇形（図１及び図５参照）をなしている。伸縮シートの上辺８ｂから下辺８ｃにかけて複数の折れ線８ｄ、８ｄ（山折り線又は谷折り線）が形成されている。着用者の足が靴Ｓ内に挿入されたら、折れ線８ｄ、８ｄにより伸縮シート８は、上下及び左右に拡張され、着用者の足全体は靴Ｓ内に包まれるようにフィットする。伸縮シート８が縫着された甲被左側部３ａ及び甲被右側部３ｂには雄部材の面状ファスナー９、１０、例えばマジックテープ（登録商標、株式会社クラレ）が取り付けられている。
【００３３】
固定片６は、靴本体１の甲被前部４から甲被中央部３にかけて伸縮シート８を全面的に被覆するように一体的、かつ前後に開閉可能に延設され、舌片状をなしており、該固定片６の下面６ａには、一部分６ｂを除き、雌部材の面状ファスナー１１、例えばマジックテープ（登録商標、株式会社クラレ）が取り付けられている。固定片６は、靴Ｓを不使用時は、図２に示すように甲被前部４から爪先５に向けて折り返された状態とされ、所定の場所、例えば、地震等災害発生時に備え、寝室のベッド近傍等に置かれている。
【００３４】
靴本体１の踵部７の内側部には靴べら形状の当て布片１５が縫着されている。当て布片１５の素材は、靴本体１と同一又は異素材からなるが、製作コスト等の問題から、靴本体１と同一素材であることが好ましい。当て布片１５は、踵部７を補強すると共に、靴の着用者が、足を靴本体１の履き口２に挿入するのに際しては、足の爪先又は土踏まず部で靴の踵部７を踏みつぶすようにして靴Ｓ内に挿入して敏速に履くことができ、靴Ｓの踵部７は当て布片１５の弾性力によって起立させることを目的としている。また高齢者、身体障害者又は要介護者等が、足及び腰部を屈曲することなく履用することができる。
【００３５】
靴本体１の踵部７の頂部には、摘み片１６が縫着され、該摘み片１６、踵部７の外側部７ａ及び靴本体１の下部外周縁１ａには、蓄光材又は蛍光材入り塗料が塗布された表示部Ｌが形成されている。表示部Ｌは、地震等が、夜間に発生した際には、蓄光材又は蛍光材入り塗料が塗布されているので、室内の暗闇の中でも即刻に確認でき、敏速に靴Ｓを履いて屋外に退避することができる。また夜間における路上等の歩行や走行に際しては、後方又は側面からの車や自転車等への歩行者の存在を知らせて、交通事故を未然に防止することを目的としている。
【００３６】
靴本体１の靴底部１３には、防水、消臭及び抗菌加工すると共に、上面材１２ａが滑面加工されたインソール１２が接着剤により貼着されており、インソール１２は、上面材１２ａと緩衝材１２ｂからなっている。上面材１２ａは、防水、消臭及び抗菌加工されているので、着用者は長期間、快適に使用することができると共に、インソールの上面材１２ａが滑面加工されているので、敏速に靴Ｓを履くことができる。さらに緩衝材１２ｂ及び後述する軽量素材で製作された靴底部１３等により、靴Ｓの総重量を軽量とすると共に、着用者は緩衝材１２ｂのクッション作用により、疲労度を軽減することができる。
【００３７】
靴本体１の靴底部１３は、軽量で衝撃吸収力に富んだ硬質合成樹脂材、例えば、ＥＶＡ（エチレンビニールアセテート）又はＥＶＡと同等の性質を有する素材である、例えば、ＥＶＡフォームを加熱圧縮し一体成形したファイロン素材等よりなっている。また該靴底部１３の爪先５から土踏まず部１３ａにかけて彎曲面を形成すると共に、踵部１３ｂは、厚底とし、かつ防滑材１４が接着されている。防滑材１４の接地面１４ａには、直線状又は曲線状の細溝が多数本刻設されている。靴底部１３は、地震によって破砕されたガラス片や釘等による外傷を未然に防ぐことができ、また爪先５は地面より浮いた状態となっているので、歩行中のつまずきを防ぐと共に、靴底部１３が彎曲面を形成しているので、着用者の長時間の歩行による足疲労を少なくすることができる。さらに踵部１３ｂの防滑材１４により路面又は床面で滑ったり転倒することなどを未然に防ぐことができる。
【００３８】
図５は、伸縮シート８の拡大展開図を示し、靴本体の長さが２６ｃｍであるとき、上辺８ｂの巾寸法Ｗ１は、約１０ｃｍ、下辺８ｃの巾寸法Ｗ２は、約２．５ｃｍとし、上辺８ｂから下辺８ｃの高さ寸法Ｈは、約８ｃｍとしている。折れ線８ｄ、８ｄは、図面上、伸縮シート８の中心から寸法約２ｃｍ（上辺８ｂ）の位置から下辺８ｃの約５ｍｍの位置に相似形とした二本の折れ線８ｄ、８ｄが配設されているが、三本以上の折れ線を形成することもできる。
【００３９】
図７は、例えば本考案に係る靴Ｓに着用者の足（図示しない）が挿入されたとき、固定片６を伸縮シート８上に固定した状態を示している。固定片６の雌部材の面状ファスナー１１は、甲被中央部３の両側に取り付けられた雄部材の面状ファスナー９、１０に係止される。靴Ｓを脱ぐときは固定片６の一部分１ｂ（図３参照）を指先で摘んで上方に引き上げれば、固定片６は、雄部材の面状ファスナー９、１０から離脱するので、着用者の足は容易に靴Ｓから開放することができる。
【図面の簡単な説明】
【００４０】
【図１】は、本考案に係る、着脱容易な安全靴の構成部材を分離した状態の平面図である。
【図２】は、同各構成部材を縫着又は取り付けた履用前の斜視図である。
【図３】は、固定片を伸縮シート上に取り付けた状態の斜視図である。
【図４】は、図３における４−４線拡大断面図である。
【図５】は、伸縮シートの拡大展開図である。
【図６】は、踵部の背面図である。
【図７】は、図３における７−７線拡大断面図である。
【符号の説明】
【００４１】
Ｓ            靴
Ｖ            切欠溝
Ｌ            表示部
１            靴本体
２            履き口
３            甲被中央部
４            甲被前部
５            爪先
６            固定片
７            踵部
８            伸縮シート
９、１０      雄部材の面状ファスナー
１１          雌部材の面状ファスナー
１２          インソール
１３          靴底部
１４          防滑材
１５          当て布片
１６          摘み片
１ａ          下部外周縁
２ａ          周縁端部
３ａ          甲被左側部
３ｂ          甲被右側部
６ａ          下面
６ｂ          一部分
７ａ          外側部
８ａ          上面
８ｂ          上辺
８ｃ          下辺
８ｄ、８ｄ    折れ線
１２ａ        上面材
１２ｂ        緩衝材
１３ａ        土踏まず部
１３ｂ        踵部
１４ａ        接地面
【図１】
0003143446.tif 000003
【図２】
0003143446.tif 000004
【図３】
0003143446.tif 000005
【図４】
0003143446.tif 000006
【図５】
0003143446.tif 000007
【図６】
0003143446.tif 000008
【図７】
0003143446.tif 000009